(57)【特許請求の範囲】
【請求項１】
複数のパチンコ機が列設されると共に、パチンコ玉を上部に揚送する玉揚送装置を設置し、該玉揚送装置で揚送されたパチンコ玉を補給樋によって前記複数のパチンコ機に供給すると共に、各パチンコ機で獲得したパチンコ玉であって計数装置により計数されたパチンコ玉及び各パチンコ機で使用されたパチンコ玉であってアウト玉回収ボックスから排出されたパチンコ玉をまとめて回収するアウト玉回収樋が内蔵されたパチンコ島台において、
前記計数装置及び前記アウト玉回収ボックスは、各パチンコ機の下方に設置され、
前記計数装置の計数排出口から排出されたパチンコ玉が貯留される玉排出空間が各パチンコ機毎にパチンコ島台内部に形成されると共に、該玉排出空間に貯留されたパチンコ玉を前記アウト玉回収樋に排出するための排出開口部を少なくとも１つ備え、
前記排出開口部の開口面積を前記計数装置の計数排出口の開口面積よりも小さく形成することにより、前記排出開口部から排出されるパチンコ玉の排出量が前記計数排出口から排出されるパチンコ玉の排出量よりも少なくなることを特徴とするパチンコ島台。
【請求項２】
前記玉排出空間に貯留し得るパチンコ玉量以上のパチンコ玉が前記計数排出口から玉排出空間内に排出されたとき、玉排出空間内のパチンコ玉を前記アウト玉回収樋に排出する溢れ玉排出部を有することを特徴とする請求項１に記載のパチンコ島台。
【請求項３】
前記玉排出空間内に、前記計数排出口の左右方向ほぼ中央位置を頂点として左右に下り傾斜する山形に形成されて前記計数排出口から排出されるパチンコ玉を玉排出空間内全体に分散させるための分散機構を設けたことを特徴とする請求項１又は請求項２に記載のパチンコ島台。
【請求項４】
前記玉排出空間の底面を構成する傾斜底板上面に、前記計数排出口から排出されるパチンコ玉の落下衝撃を緩和するための段差部を設けたことを特徴とする請求項１乃至請求３のいずれかに記載のパチンコ島台。
【請求項５】
前記排出開口部から排出されるパチンコ玉と前記アウト玉回収ボックスの排出口から排出されるパチンコ玉とを前記アウト玉回収樋に排出される位置を異ならせたことを特徴とする請求項１乃至請求４のいずれかに記載のパチンコ島台。
【発明の詳細な説明】
【０００１】
【発明の属する技術分野】
本発明は、複数のパチンコ機が列設されると共に、複数のパチンコ機が列設されると共に、パチンコ玉を上部に揚送する玉揚送装置を設置し、該玉揚送装置で揚送されたパチンコ玉を補給樋によって前記複数のパチンコ機に供給すると共に、各パチンコ機で獲得したパチンコ玉であって計数装置により計数されたパチンコ玉及び各パチンコ機で使用されたパチンコ玉であってアウト玉回収ボックスから排出されたパチンコ玉をまとめて回収するアウト玉回収樋が内蔵されたパチンコ島台に関するものである。
【０００２】
【従来の技術】
近年、遊技者が獲得したパチンコ玉を景品交換所に運ぶことなく、パチンコ機毎に対応して設置された計数装置を介して直接パチンコ島台に返却するキャリーレスシステム（個別ＪＣともいう）を導入するパチンコホールが年々増加する傾向にある。このようなキャリーレスシステムのパチンコ島台では、パチンコ機の裏面側から排出される使用済みのパチンコ玉（アウト玉等）ばかりでなく景品玉も計数装置を介してパチンコ島台に返却されるため、多量のパチンコ玉がアウト玉回収樋で回収されていた。
【０００３】
しかして、この計数装置から排出されたパチンコ玉をアウト玉回収樋に排出する構造としては、特開平１０−２１１３５１号に示されるもののように、計数装置から排出されたパチンコ玉を一度にアウト玉回収樋上へ排出したり、あるいは、特開平１０−１７９９１７号に示されるもののように、計数装置から排出されるパチンコ玉をシャッターにより閉塞した貯留空間に貯留し、シャッターを開放することによりアウト玉回収樋上へパチンコ玉を排出するというものであった。
【０００４】
【発明が解決しようとする課題】
ところが、上記のように、パチンコ玉を一度にアウト玉回収樋上へ排出するものである場合、アウト玉回収樋に過剰のパチンコ玉が排出されることとなり、アウト玉回収樋上のパチンコ玉の流下を妨げてしまうという問題があった。つまり、アウト玉回収樋上のパチンコ玉の流下を妨げると、それより上流側のアウト玉回収樋上がパチンコ玉で一杯になり、そこにパチンコ玉を排出している計数装置の排出口付近もパチンコ玉で一杯になる。その結果、計数装置からのパチンコ玉の排出が悪くなり、遊技者のイライラまたは不満の原因になっていた。
【０００５】
同様に、一度にアウト玉回収樋上へ過剰なパチンコ玉を排出すると、前記アウト玉回収樋の下流部のパチンコ玉の混雑につながり、そこにパチンコ玉を排出している計数装置の排出口付近がパチンコ玉で一杯になる。その結果、計数装置からのパチンコ玉の排出が悪くなり、遊技者のイライラまたは不満の原因になっていた。これらの状況は、特に、多量のパチンコ玉が一度に返却される遊技場の閉店直前に顕著であった。また、アウト玉回収樋に損傷，破損等のトラブルが生じ、アウト玉回収樋上のパチンコ玉の流れが悪い場合にも、アウト玉回収樋上へのパチンコ玉の排出口付近にパチンコ玉が滞留してしまい、同様に計数装置からのパチンコ玉の排出が妨げられてしまうという問題があった。
【０００６】
また、上記のように、計数装置から排出されるパチンコ玉をシャッターにより閉塞した貯留空間に貯留するものである場合、何らかのトラブルによりシャッターが故障して開放できなくなった場合、貯留空間にパチンコ玉が滞留してしまい、計数装置からのパチンコ玉の排出が妨げられてしまうという問題があった。また、貯留空間内のパチンコ玉の排出をシャッターの開閉により行う構造であるため、製造コストが高くなるという問題があった。本発明は、上記した事情に鑑みなされたもので、その目的とするところは、アウト玉回収樋上のパチンコ玉の混雑をできるだけ防止することにより、パチンコ島台内のパチンコ玉の循環をスムーズに行うと共に、計数装置からのパチンコ玉の排出を妨げることのないパチンコ島台を提供することにある。
【０００７】
【課題を解決するための手段】
上記した目的を達成するために、請求項１に記載の発明においては、複数のパチンコ機が列設されると共に、パチンコ玉を上部に揚送する玉揚送装置を設置し、該玉揚送装置で揚送されたパチンコ玉を補給樋によって前記複数のパチンコ機に供給すると共に、各パチンコ機で獲得したパチンコ玉であって計数装置により計数されたパチンコ玉及び各パチンコ機で使用されたパチンコ玉であってアウト玉回収ボックスから排出されたパチンコ玉をまとめて回収するアウト玉回収樋が内蔵されたパチンコ島台において、前記計数装置及び前記アウト玉回収ボックスは、各パチンコ機の下方に設置され、前記計数装置の計数排出口から排出されたパチンコ玉が貯留される玉排出空間が各パチンコ機毎にパチンコ島台内部に形成されると共に、該玉排出空間に貯留されたパチンコ玉を前記アウト玉回収樋に排出するための排出開口部を少なくとも１つ備え、前記排出開口部の開口面積を前記計数装置の計数排出口の開口面積よりも小さく形成することにより、前記排出開口部から排出されるパチンコ玉の排出量が前記計数排出口から排出されるパチンコ玉の排出量よりも少なくなることを特徴とするものである。このように構成することにより、計数排出口から排出されたパチンコ玉は、一旦玉排出空間で貯留されることとなり、一度に過剰のパチンコ玉がアウト玉回収樋上に排出されることがない。このため、アウト玉回収樋上のパチンコ玉の混雑を防止することができると共に、アウト玉回収樋上のパチンコ玉の流下が計数排出口から排出されたパチンコ玉により妨げられることも防止できる。また、アウト玉回収樋に排出するための排出開口部付近がパチンコ玉で混雑することがないため、排出開口部からのパチンコ玉の排出が妨げられることがない。更に、計数排出口から一度に大量のパチンコ玉が排出された場合でも、パチンコ玉が一旦玉排出空間で貯留されることとなるため、排出開口部からのパチンコ玉の排出量が少なくても、計数排出口からのパチンコ玉の排出が妨げられることがない。
【０００８】
また、請求項２に記載の発明においては、前記玉排出空間に貯留し得るパチンコ玉量以上のパチンコ玉が前記計数排出口から玉排出空間内に排出されたとき、玉排出空間内のパチンコ玉を前記アウト玉回収樋に排出する溢れ玉排出部を有することを特徴とするものである。このように構成することにより、玉排出空間やアウト玉回収樋に損傷，破損等のトラブル等を含め、排出開口部からパチンコ玉が排出されない場合や排出されにくい場合でも、玉排出空間に貯留されたパチンコ玉は、溢れ玉排出部によりアウト玉回収樋上に排出される。その結果、計数排出口からのパチンコ玉の排出が妨げれられることがなくなり、計数装置からのパチンコ玉の排出が悪くなることによる遊技者のイライラまたは不満は生じない。
【０００９】
また、請求項３に記載の発明においては、前記玉排出空間内に、前記計数排出口の左右方向ほぼ中央位置を頂点として左右に下り傾斜する山形に形成されて前記計数排出口から排出されるパチンコ玉を玉排出空間内全体に分散させるための分散機構を設けたことを特徴とするものである。このように構成することにより、計数排出口と傾斜底板との間隔が比較的短い場合であっても、計数排出口からのパチンコ玉を玉排出空間全体内全体に排出させることができるため、玉排出空間内を有効に利用することができる。更に、計数排出口付近が排出されてくるパチンコ玉で一杯になることを防止できるため、計数装置からのパチンコ玉の排出がさまたげられ、排出が悪くなるおそれは無くなる。よって、遊技者のイライラまたは不満は生じない。
【００１０】
また、請求項４に記載の発明においては、前記玉排出空間の底面を構成する傾斜底板上面に、前記計数排出口から排出されるパチンコ玉の落下衝撃を緩和するための段差部を設けたことを特徴とするものである。このように構成することにより、計数排出口から排出されるパチンコ玉が直接傾斜底板上に落下することがないため、落下衝撃による騒音を防止することができると共に、傾斜底板の破損，損傷を防止することができる。
【００１１】
更に、請求項５に記載の発明においては、前記排出開口部から排出されるパチンコ玉と前記アウト玉回収ボックスの排出口から排出されるパチンコ玉とを前記アウト玉回収樋に排出される位置を異ならせたことを特徴とするものである。このように構成することにより、アウト玉回収樋上のパチンコ玉の混雑を防止することができる。
【００１２】
【発明の実施の形態】
以下、図面を参照して本発明の実施形態について説明する。まず、図１及び図２を参照して本実施形態に係るパチンコ島台１の概略構成について説明する。図１は、本実施形態に係るパチンコ島台１の内部を示す側面図であり、図２は、パチンコ機２が設置される部分のパチンコ島台１の拡大図である。
【００１３】
図において、パチンコ島台１は、周知のように、直方体状に枠組み構成され、その長手方向両面に複数のパチンコ機２を背向列設するようになっている。また、パチンコ島台１には、各パチンコ機２に挟持されるように台間玉貸機３が設けられており、この台間玉貸機３はパチンコ機２と１対１対応するように設けられていると共に、硬貨または紙幣、あるいはプリペイドカードまたは貯玉カードによりパチンコ玉を貸し出すようになっている。この１対１対応して設けられたパチンコ機２と台間玉貸機３から構成されるパチンコ機ユニットＡが、本実施形態においては、パチンコ島台１の端部からＡ１〜Ａ１１の順に、後述する玉揚送装置４を挟んで左右１１台ずつ（図の左側は、一部省略）で、パチンコ島台１の両側面に計４４台設置されているが、遊技場によってはそれ以上又は以下の台数のパチンコ機ユニットが設置される場合もある。
【００１４】
更にＡ１〜Ａ１１の各パチンコ機２は、遊技により獲得した景品玉を計数するための後述する計数手段としての計数装置８３及び景品玉をレシートまたはカード等に記憶する景品玉記憶装置（図示しない）等が設けられているため、遊技者は、遊技によって獲得した景品玉をレシートまたはカード等に記憶させて景品と交換することができ、パチンコ玉を景品交換所に運ぶ必要がなくなる。なお、前記カード等にはカードを識別するために必要なＩＤ番号が記憶されていると共に、各パチンコ機２毎にカード盗難防止装置も設けられているので、カード等が悪用されたり、盗難される心配はない。
【００１５】
また、パチンコ島台１のほぼ中央には、玉揚送装置４が収納される玉揚送装置収納部５が立設されている。本実施形態に係る玉揚送装置４は、帯状の搬送ベルトによってパチンコ玉を揚送するものであり、その帯状の搬送ベルトがパチンコ島台１の長手方向と直交するように配置されて下部の導入樋４ａから導入したパチンコ玉を上部に研磨しながら揚送して上部の排出口４ｂから次に説明する上部タンク６に排出するものである。
【００１６】
玉揚送装置４の上部には、揚送されたパチンコ玉を一時的に貯留する上部タンク６，７が設けられ、該上部タンク６，７からは、各パチンコ機２にパチンコ玉を供給するための補給樋８が、パチンコ島台１の長手方向端部に向かって傾斜状に設けられている。玉揚送装置４により揚送されたパチンコ玉は、まず上部タンク６（以下、上部主タンク６という）につながる補給樋８に最優先で送られ、上部主タンク６でオーバーフローしたパチンコ玉は次に上部タンク７（以下、上部従タンク７という）につながる補給樋８に送られ、更に上部従タンク７でオーバーフローしたパチンコ玉は、図示しないオーバーフローダクト及び中継樋１４を介してパチンコ島台１の下部にある貯留タンク１３の溢れ玉誘導樋４５に誘導されるようになっている。溢れ玉誘導樋４５に誘導されたパチンコ玉は、貯留タンク１３の底板４９（図３参照）へ落下し、貯留タンク１３に貯留されることとなるが、この貯留タンク１３に貯留されたパチンコ玉は、玉揚送装置４により研磨されているため、常にきれいにされた状態のパチンコ玉である。なお、オーバーフローダクトは、玉揚送装置収納部５に一体的に形成されている。
【００１７】
また、補給樋８には、各パチンコ機２にパチンコ玉を誘導する分配シュート９が各パチンコ機２に対応して設けられている。分配シュート９により取り込まれたパチンコ玉は、分配シュートの下方に位置する計数装置（図示しない）により玉数が計数された後、補給装置１０を介してパチンコ機２の背面上部に設けられた賞球タンクに供給され、景品玉や遊技玉として使用される。また、補給樋８の下流端には、玉抜き用分離器１１が設けられており、補給樋８の下流端まで流下してきたパチンコ玉は、玉抜き用分離器１１から蛇腹１２を介して後述するアウト玉回収樋１７へ導出されることにより、パチンコ玉がパチンコ島台１内を循環している。
【００１８】
一方、パチンコ機２から排出される使用済みのパチンコ玉（アウト玉）は、計数機能を有する受入手段としてのアウト玉回収ボックス１６で回収された後、下方に排出される。アウト玉回収ボックス１６から排出されたパチンコ玉は、パチンコ島台１の両端部からそのほぼ中央に立設される玉揚送装置４の下部に向けて下り傾斜状に設けられる前記アウト玉回収樋１７上あるいは後述するアウト玉回収底板９０上に落下せしめられる。
【００１９】
また、パチンコ機２の下部には、パチンコ島台１に対してほぼ直交するように外側に向かってカウンター台８６が突設されている。該カウンター台８６には、玉箱８７が載置されると共に、遊技者が遊技で獲得し、玉箱８７に貯留した景品玉を返却する機能が付設されており、景品玉落下口８８（図５参照）を介して玉箱８７から返却された景品玉は、計数装置８３で計数した後、後述する玉排出空間８０を介してアウト玉回収樋１７に落下せしめられる。
【００２０】
なお、アウト玉回収樋１７は、計数装置８３で計数されたパチンコ玉及びパチンコ機２から排出される使用済みのパチンコ玉をまとめて回収するものであり、図５乃至図７に示すように、簀の子状の誘導レールがパチンコ島台１の中央に長手方向に沿って敷設されている。また、図１に示すように、玉揚送装置４を挟んで右側のアウト玉回収樋１７の下流端は、後述する中継タンク１５に接続されており、玉揚送装置４を挟んで左側のアウト玉回収樋１７は、中継タンク１５と同様の機能を持つ中継タンク１８に接続され、中継タンク１８は、連結樋１９を介して貯留タンク１３に接続されている。なお、アウト玉回収樋１７は、簀の子状の誘導レールに限らず、ベルトコンベア等により構成されるものであってもよい。
【００２１】
また、図示の実施形態においては、玉揚送装置４の一側側方に貯留タンク１３が設けられているが、貯留タンク１３は、パチンコ機２の横幅寸法の約３〜４台分に相当する長さに形成されており、パチンコ島台１に設置される複数の玉箱８７の総容量を許容できる程度の大きさに設計されている。
【００２２】
そこで、貯留タンク１３及び貯留タンク１３に隣接して設けられる中継タンク１５の構造について図３を参照して説明する。図３は、貯留タンク１３及び中継タンク１５の内部を透写した状態の斜視図である。
【００２３】
まず、貯留タンク１３は、パチンコ島台１のパチンコ機ユニットＡ８〜Ａ１１に対応するパチンコ機２のカウンター台８６より下方の下部空間に設置される上方が開放した直方体状のタンク基台によって構成されている。なお、貯留タンク１３は、パチンコ島台１の玉揚送装置４を挟んで右側にのみ設置されているため、玉揚送装置４を挟んで左側のパチンコ機ユニットＡ８〜Ａ１１には対応するものではない。
【００２４】
前記タンク基台は、第１側板４０ａと第２側板４０ｂと前板４１と後板４２と底板４９とから構成されている。第１側板４０ａ及び第２側板４０ｂの上端部には、パチンコ機ユニットＡ８〜Ａ１１のパチンコ機２からのパチンコ玉を貯留タンク内に排出するための玉排出口４３がそれぞれ４箇所ずつ形成され、この玉排出口４３の下方には、下流部誘導樋４８が設けられている。下流部誘導樋４８は、パチンコ機ユニットＡ７に対応する玉排出口４３（図中左から４番目）の下方から前板４１及び貯留タンク１３の中央部に向けて下り傾斜して設けられている。なお、この下流部誘導樋４８は、第１側板４０ａと第２側板４０ｂのいずれにも設けられている。
【００２５】
前板４１の上端部中央には、前記中継樋１４が接続される導入口４４が形成され、この導入口４４から後板４２に向けて下り傾斜して溢れ玉誘導樋４５が設けられている。この溢れ玉誘導樋４５は、導入口４４の開口幅とほぼ同じ幅寸法で形成されており、その下流端は、後板４２と間隔を持って設けられている。また、その両側方にはガイド板４６が立設され、このガイド板４６には、それぞれ３箇所ずつ溢れ玉落下口４７が開設されている。この溢れ玉落下口４７は、貯留タンク１３の長手方向で、前記玉排出口４３と玉排出口４３との間の位置に開設されるものである。なお、溢れ玉誘導樋４５と前記下流部誘導樋４８との間には、幅方向で隙間が形成されるように設置され、玉排出口４３から排出されるパチンコ玉や溢れ玉落下口４７から落下するパチンコ玉は、この隙間から貯留タンク内へ落下することとなる。
【００２６】
底板４９は、後板４２から前板４１に向かって下り傾斜していると共に、第１側板４０ａから第２側板４０ｂに向かっても僅かに下り傾斜しており、その傾斜に沿って底板４９と第２側板４０ｂとにより形成される隅角部に、下層部誘導バイパス５０及びアウト玉優先バイパス５１が上下に積層して設けられている。また、底板４９の下流端は、前板４１に当接すると共に、底板４９の下流部の第２側板４０ｂ側には、合流部５４が形成されている。この合流部５４の上方には、第１側板４０ａから合流部５４に向けて下り傾斜する合流傾斜板５５の下流端が臨んでおり、この合流傾斜板５５の上流端側の前板４１には、前記連結樋１９が接続される連結口（図示しない）が開設されている。前板４１の底板４９が当接する部分には、前記玉揚送装置４の導入樋４ａが接続される貯留タンク排出口５６が穿設され、合流部５４内のパチンコ玉は、この貯留タンク排出口５６から排出されることとなる。
【００２７】
また、合流部５４及び合流傾斜板５５の上方には、第１側板４０ａから第２側板４０ｂに亘って第１圧抜板５２が設けられている。この第１圧抜板５２は、前板４１から後板４２の方向へ下り傾斜して設けられ、合流部５４及び合流傾斜板５５をほぼ覆う程度の寸法で形成されている。第１圧抜板５２の下流端の下方には、第１側板４０ａから第２側板４０ｂに亘って第１圧抜板５２と同じ傾斜方向で、第１圧抜板５２より小さい幅寸法で第２圧抜板５３が形成されている。
【００２８】
前記下層部誘導バイパス５０及びアウト玉優先バイパス５１は、下層部誘導バイパス５０の上段にアウト玉優先バイパス５１が積層して設けられるものであるが、下段の下層部誘導バイパス５０は、貯留タンク１３の長手方向より若干短い長さであってその下流端が合流部５４からやや離れた上流側に臨むようになっている。一方、上段のアウト玉優先バイパス５１の下流端は、合流部５４の直前位置に臨むように位置している。即ち、アウト玉優先バイパス５１の下流端が下層部誘導バイパス５０の下流端よりも上方であってより下流側に臨むようになっている。また、下層部誘導バイパス５０の第１側板４０ａ側の側面には、その上流端とほぼ中央部にパチンコ玉を下層部誘導バイパス５０内に導入するための導入穴（図示しない）が開設されている。
【００２９】
次に、中継タンク１５は、パチンコ島台１のパチンコ機ユニットＡ７に対応するパチンコ機２のカウンター台８６より下方の下部空間に設置される上方が開放した直方体状のタンク基台によって構成されている。なお、パチンコ島台１の玉揚送装置４を挟んで左側のパチンコ機ユニットＡ６には、中継タンク１５は設置されておらず、中継タンク１５と同様の機能を有する中継タンク１８がパチンコ機ユニットＡ１１に設置されている。
【００３０】
前記タンク基台は、後板４２と第１側板６０ａと第２側板６０ｂと上流側板６１と底板６７と前記アウト玉優先バイパス５１の底面部から構成されている。第１側板６０ａ及び第２側板６０ｂの上端部には、パチンコ機ユニットＡ７のパチンコ機２からのパチンコ玉を貯留タンク内に排出するための玉排出口４３が形成され、この玉排出口４３の下方には、誘導板６３が設けられている。誘導板６３は、パチンコ機ユニットＡ７に対応する玉排出口４３の下方から中継タンク１５の中央部に向けて下り傾斜して設けられるものであり、第１側板６０ａ及び第２側板６０ｂのいずれにも設けられている。誘導板６３の下流端の下方には、第１合流部６４を形成する合流底板６８が第１側板６０ａ側に向かって下り傾斜して設けられており、この合流底板６８の下流端と第１側板６０ａ側の誘導板６３の下流端との間には隙間が形成されている。
【００３１】
底板６７は、上流側板６１から後板４２に向かって下り傾斜していると共に、第１側板６０ａから第２側板６０ｂに向かっても僅かに下り傾斜している。この底板６７の第２側板６０ｂ側の下流端は、中継タンク１５側に突出した前記アウト玉優先バイパス５１の底面部に当接している。また、底板６７の上面には、上流側板６１から第２側板６０ｂに亘って切り欠きが形成された合流板６５が貼着されている。また、上流側板６１の底板６７が当接した部分には、アウト玉回収樋１７が接続されるアウト玉導入口６２が開設されている。
【００３２】
以上、貯留タンク１３及び中継タンク１５の構造について説明してきたが、次に、貯留タンク１３及び中継タンク１５の作用をパチンコ玉の流れに沿って説明する。
【００３３】
まず、前述したように、玉揚送装置４によって揚送され、上部従タンク７でオーバーフローしたパチンコ玉が中継樋１４を介して貯留タンク１３内の溢れ玉誘導樋４５に導入され、溢れ玉誘導樋４５上を流下する。パチンコ玉は、溢れ玉誘導樋４５を流下する途中で溢れ玉落下口４７から溢れ玉誘導樋４５と下流部誘導樋４８との間を通って貯留タンク１３の底板４９に向けて落下し、貯留タンク１３内に貯留されていく。このとき、パチンコ玉が落下するのは、溢れ玉落下口４７が穿設された位置からと溢れ玉誘導樋４５の下流端からであるため、この位置の下方に優先的にパチンコ玉が貯留されることとなる。したがって、貯留されるパチンコ玉の上面は、溢れ玉落下口４７及び溢れ玉誘導樋４５に対応する位置を頂点として波形のような形状となる。即ち、溢れ玉落下口４７及び溢れ玉誘導樋４５に対応する位置が凸部に形成され、それ以外の位置は、凹部に形成される。また、溢れ玉落下口４７が形成される位置は、前述のように、玉排出口４３と玉排出口４３との間であるため、前記凹部が形成される位置は、玉排出口４３に対応する位置になる。
【００３４】
そして、パチンコ機ユニットＡ８〜Ａ１１のパチンコ機２から排出されるパチンコ玉が玉排出口４３を介して前記貯留タンク１３内に貯留されたパチンコ玉の前記凹部に排出され、凹部にパチンコ玉が貯留されていく。パチンコ機２から排出されるパチンコ玉で凹部が満たされると、次にパチンコ玉は、下流部誘導樋４８を転動して前板４１側へ流下し、前板４１側から次第に貯留されていくこととなる。
【００３５】
こうして貯留タンク１３内に貯留されたパチンコ玉は、下層部誘導バイパス５０に形成された前記導入口（図示しない）から下層部誘導バイパス５０に導入された後、下層部誘導バイパス５０の下流端から、あるいは、合流傾斜板５５の後板４２側の側方に形成される導出路（図示しない）を通って合流部５４に導入される。このとき、貯留タンク１３の前板４１側には、前述のように、第１圧抜板５２及び第２圧抜板５３が設けられているため、合流部５４に導入されるパチンコ玉は、貯留されたパチンコ玉の圧力を受けることがない。
【００３６】
一方、前記中継タンク１５には、この中継タンク１５の上方に位置するパチンコ機ユニットＡ７のパチンコ機２からのパチンコ玉が、玉排出口４３から誘導板６３上に排出される。中継タンク１５の両誘導板６３上に排出されたパチンコ玉は、合流底板６８上に落下して第１合流部６４で合流した後、合流板６５上に落下する。合流板６５上に落下したパチンコ玉は、アウト玉導入口６２を介してアウト玉回収樋１７から導入されるパチンコ玉とアウト玉合流部６６で合流する。そして、アウト玉合流部６６で合流したパチンコ玉は、アウト玉優先バイパス５１内を流下した後、アウト玉優先バイパス５１の流下端から合流部５４に排出されることとなる。こうして玉揚送装置４を挟んでパチンコ島台１の右側に位置するパチンコ機ユニットＡ１〜Ａ７のパチンコ機２から排出されるパチンコ玉が、合流部５４に排出されることとなる。
【００３７】
また、前板４１に開設された前記連結口（図示しない）からは、中継タンク１８内のパチンコ玉が連結樋８を介して合流傾斜板５５上に排出された後、合流傾斜板５５上を流下して合流部５４に排出される。中継タンク１８は、玉揚送装置４を挟んでパチンコ島台１の左側に位置するパチンコ機ユニットＡ１〜Ａ１０のパチンコ機２から排出されるパチンコ玉と、パチンコ機ユニットＡ１１のパチンコ機２から排出されるパチンコ玉とを中継タンク１５と同様の方法により合流するものである。こうして玉揚送装置４を挟んでパチンコ島台１の左側に位置するパチンコ機ユニットＡ１〜Ａ１１のパチンコ機２から排出されるパチンコ玉が、合流部５４に排出されることとなる。
【００３８】
ここで、合流部５４の下流端で前板４１に当接する部分には、前述のように、玉揚送装置４へ連通する貯留タンク排出口５６が開設されており、この貯留タンク排出口５６の上方には、合流傾斜板５５の下流端が臨んでいる。また、上記のように、アウト玉優先バイパス５１の下流端は、合流部５４の直前位置に臨むように位置し、下層部誘導バイパス５０の下流端は、合流部５４からやや離れた上流側に臨むようになっている。また、合流傾斜板５５の後板４２側の側方に形成される前記導出路（図示しない）の下流端は、アウト玉優先バイパス５１の下流端の下方に位置している。このため、合流傾斜板５５からのパチンコ玉及びアウト玉優先バイパス５１からのパチンコ玉は、下層部誘導バイパスからのパチンコ玉及び導出路からのパチンコ玉に覆い被さるようにして合流部５４に導出されるので、より貯留タンク排出口５６に導出されやすくなる。即ち、玉揚送装置４を挟んでパチンコ島台１の右側に位置するパチンコ機ユニットＡ１〜Ａ７のパチンコ機２から排出されるパチンコ玉、及び玉揚送装置４を挟んでパチンコ島台１の左側に位置するパチンコ機ユニットＡ１〜Ａ１１のパチンコ機２から排出されるパチンコ玉が、貯留タンク１３内に貯留されたパチンコ玉に優先して玉揚送装置４に導出されることとなる。
【００３９】
次に、本実施形態の要部を構成するパチンコ島台１の玉排出空間８０について、図４乃至図８を参照して説明する。図４は、実施形態に係るパチンコ島台１の内部を示す断面図であり、図５は、実施形態に係るパチンコ機ユニットＡ１〜Ａ３の内部を示す斜視図であり、図６，図７及び図８は、実施形態に係るパチンコ機ユニットＡ４〜Ａ６の内部を示す斜視図である。なお、パチンコ機ユニットＡは、玉揚送装置４を挟んでパチンコ島台１の左右に対称に設置されるものであるため、ここでは、図１における玉揚送装置４の右側のパチンコ機ユニットＡについて説明する。また、玉排出空間８０が設けられるのは、玉揚送装置４を挟んで右側のパチンコ機ユニットＡについてはＡ１〜Ａ６であり、左側のパチンコ機ユニットＡについては、Ａ１〜Ａ１０である。この玉揚送装置４の左右に設置されるパチンコ機ユニットＡに設けられる玉排出空間８０の構造は、Ａ１〜Ａ３については、左右のパチンコ機ユニットＡ同士でそのまま対応している。また、右側のパチンコ機ユニットＡ４，Ａ５，Ａ６のそれぞれは、玉排出空間８０の高さ寸法が玉揚送装置４側にいくにつれて大きくなること以外は同じ構造である。つまり、パチンコ機ユニットＡ４と同様の構造が３台分並設していることになる。同様に、左側のパチンコ機ユニットＡ４〜Ａ１０も、それぞれ同様の構成になっている。つまり、左側のパチンコ機ユニットＡ４と同様の構成が８台分並設していることになる。更に、左右のパチンコ機ユニットＡ４は、対応しているので、結局、右側のパチンコ機ユニットＡ４と同様の構成が片面において右側で３台、左側で８台、計１１台存在する。本実施形態では、左右のパチンコ機ユニットＡが各１１台となっているが、１１台以上のパチンコ機ユニットＡで構成されるときは、パチンコ機ユニットＡ４と同様の構成のものを増やし、並設する。
【００４０】
なお、パチンコ島台１に設置される複数のパチンコ機ユニットＡは、パチンコ島台１の外観において相違するものではないが、パチンコ島台１の内部であってパチンコ機２の下方に形成される玉排出空間８０の構成が各実施形態で相違している。そこで、各実施形態に共通する部分について説明した後、各実施形態で相違する部分を説明する。
【００４１】
まず、各実施形態に共通する部分について説明すると、図４において、パチンコ島台１の内であってパチンコ機２（図２参照）の下方には上部腰板２０，上部区画板８２，傾斜底板８４及びパチンコ島台１の骨組みである区画支柱８１により玉排出空間８０が形成されている。この玉排出空間８０は、図１に示すように、パチンコ島台１の端部からパチンコ島台１の玉揚送装置４側に向かって徐々にその高さ寸法が大きくなっている。
【００４２】
傾斜底板８４は、上部腰板２０側からアウト玉回収底板９０側に向けて下り傾斜し且つ後述する排出開口部９７に向けて下り傾斜して形成されるものであり、その表面全体に騒音を吸収するためのゴム材が貼着してある。
【００４３】
腰板としての上部腰板２０は、玉排出空間８０を構成するものであると共に、パチンコ島台１の下部の外観を構成するものであり、パチンコ島台１に対して着脱自在に取り付けられている。上部腰板２０は、その下方が上部レール２２上に載置され、上方をパチンコ島台１に対してネジ（図示しない）止めすることにより取り付けられている。また、この上部腰板２０の下方には、腰板としての下部腰板２１がパチンコ島台１に対して着脱自在に設けられている。下部腰板２１は、断面コ字状の前記上部レール２２の凹部と、上部レール２２と向かい合う断面コ字状の下部レール２３の凹部に嵌入することにより、パチンコ島台１に対して取り付けられている。このように、上部腰板２０及び下部腰板２１がパチンコ島台１に対して着脱自在に設けられているため、アウト玉回収樋１７等に破損，損傷等のトラブルが生じた場合であっても、その修理等をパチンコ島台１内から行うことなく、パチンコ島台１の外側から行うことできるため作業性がよく、また、清掃等のメンテナンスも容易に行うことができる。更に、上部と下部の２つに腰板が分かれているため、腰板全体を外すときに比べ、外した後の腰板の置き場所もとらず、腰板の重さも軽くなるため修理等の作業性が著しく向上する。
【００４４】
上部区画板８２上には、上面が開口した箱状の部材で形成されたアウト玉回収ボックス１６がパチンコ機２の下方に位置するように設置されている。アウト玉回収ボックス１６の底面は、底面の中心に向かってロート状に形成されると共に、その中心にはパチンコ玉の排出口（図示しない）が開口されるものであり、パチンコ機２から排出されたアウト玉を回収し、アウト玉回収樋１７に排出するものである。
【００４５】
パチンコ機２の下部には、パチンコ島台１に対してほぼ直交するように外側に向かってカウンター台８６が突設されており、このカウンター台８６には、玉箱８７が載置されると共に、遊技者が遊技で獲得し玉箱８７に貯留した景品玉を返却する機能が付設されている。玉箱８７から返却された景品玉は、景品玉落下口８８（図５，図６参照）を介してカウンター台８６の裏面に設置された計数装置８３（ＪＣ）により計数され、上部腰板２０に開設された計数排出口８５から玉排出空間８０に排出される。
【００４６】
以上、各実施形態に共通する構造について説明したが、次に、各実施形態で相違する玉排出空間８０の構成について説明する。
【００４７】
まず、図５において、パチンコ機ユニットＡ１は、パチンコ島台１の端部に位置するものである。一対のパチンコ機ユニットＡ１の下方に形成される玉排出空間８０の傾斜底板８４の間には、パチンコ島台１の島端からパチンコ機ユニットＡ２とパチンコ機ユニットＡ３との間に位置する区画支柱８１に向かって下り傾斜してアウト玉回収底板９０が設けられている。このアウト玉回収底板９０には、計数排出口８５から排出され傾斜底板８４を流下してくるパチンコ玉、及び前記補給樋８から蛇腹１２を流下してくるパチンコ玉が排出され、このアウト玉回収底板９０に排出されたパチンコ玉は、隣接するパチンコ機ユニットＡ２の方向に流下する。このパチンコ機ユニットＡ１においては、傾斜底板８４の上流端は、計数排出口８５の下端部に当接しており、計数排出口８５から排出されるパチンコ玉は、玉排出空間８０に貯留されることなく傾斜底板８４上を流下し、アウト玉回収底板９０に排出される。
【００４８】
次に、図５において、パチンコ機ユニットＡ２は、前記パチンコ機ユニットＡ１のパチンコ玉流下側に隣接して設けられるものである。一対のパチンコ機ユニットＡ２の下方に形成される玉排出空間８０の傾斜底板８４の間には、前述のように、アウト玉回収底板９０が設けられている。このアウト玉回収底板９０と傾斜底板８４との間であって、アウト玉回収底板９０の上流端側には、アウト玉回収底板９０の下流側に向けてその間隔が徐々に狭くなる一対の回収壁９１が立設されている。また、アウト玉回収底板９０と傾斜底板８４との間であって、回収壁９１の下流端からは、アウト玉回収底板９０の下流側に向けて平行な一対の誘導壁９２が立設されている。この誘導壁９２の下流端は、パチンコ機ユニットＡ２とパチンコ機ユニットＡ３との間に位置する区画支柱８１からやや間隔をおいて位置している。そして、一対の誘導壁９２の下流端同士により排出開口部９３が、片側の誘導壁９２の下流端と区画支柱８１により排出開口部９５が２箇所形成されている。この排出開口部９３の開口面積は、パチンコ機ユニットＡ１の計数排出口８５の面積よりも小さく形成され、また、排出開口部９５の開口面積は、パチンコ機ユニットＡ１の計数排出口８５の面積よりも小さく形成されている。
【００４９】
なお、前記パチンコ機ユニットＡ１において、アウト玉回収底板９０を流下するパチンコ玉は、前記一対の回収壁９１により形成される空間に導入され、一対の誘導壁９２の中を流下して排出開口部９３から排出されるものであるが、前述のように、排出開口部９３の開口面積は、計数排出口８５の開口面積よりも小さく形成されているため、計数排出口８５からのパチンコ玉の排出量よりも排出開口部９３からのパチンコ玉の排出量が少なくなり、排出開口部９３の手前でパチンコ玉が滞留することとなる。従って、パチンコ機ユニットＡ１の玉排出空間８０から回収壁９１及び誘導壁９２によって形成される空間により、パチンコ玉の貯留空間が形成されることとなる。その結果、計数排出口８５から一度にパチンコ玉が排出されたとしても、前記貯留空間により、一度にパチンコ玉がアウト玉回収樋１７へ排出されないため、アウト玉回収樋１７上がパチンコ玉で混雑することはない。
【００５０】
パチンコ機ユニットＡ２における傾斜底板８４の上流端は、パチンコ機ユニットＡ１の傾斜底板８４と異なり、計数排出口８５の下端部からやや間隔をおいた下方に位置している。また、計数排出口８５の下端部からは、計数排出口８５の左右方向ほぼ中央位置を頂点として左右に下り傾斜する山形の分散機構９４が上部腰板２０から回収壁９１及び誘導壁９２に向かって下り傾斜して形成されている。この分散機構９４は、パチンコ機ユニットＡ２のように、計数排出口８５と傾斜底板８４との間隔が比較的短い場合、つまり、玉排出空間８０が比較的狭い場合に取り付けられるもので、計数排出口８５からのパチンコ玉を玉排出空間８０内に万遍なく排出させることができるため、玉排出空間８０を有効に利用することができる。更に、この分散機構９４を取り付けることにより、計数排出口８５付近がパチンコ玉で一杯になることを防止できるため、計数装置８３からのパチンコ玉の排出が妨げられ、排出が悪くなるおそれはなくなる。
【００５１】
しかして、パチンコ機ユニットＡ２において、計数排出口８５から排出されたパチンコ玉は、分散機構９４上に落下した後、分散機構９４の長手方向に分散して傾斜底板８４上に落下し、傾斜底板８４上を流下して排出開口部９５から排出される。このとき、傾斜底板８４は、排出開口部９５に向かって傾斜しているため、パチンコ玉が排出開口部９５から排出される際には、アウト玉回収底板９０上のパチンコ玉の流下方向と略同一の流下方向で排出される。従って、計数排出口８５とアウト玉回収底板９０との間に形成される玉排出空間８０は、計数装置８３から排出されるパチンコ玉の流下方向をアウト玉回収底板９０上のパチンコ玉の流下方向と略同一方向に変換する機能を有するものである。また、前述のように、排出開口部９５の開口面積は、計数排出口８５の開口面積よりも小さく形成されているため、計数排出口８５からのパチンコ玉の排出量よりも排出開口部９５からのパチンコ玉の排出量が少なくなり、排出開口部９５の手前でパチンコ玉が滞留することとなる。従って、パチンコ機ユニットＡ２の玉排出空間８０は、パチンコ玉の貯留空間として機能するものである。その結果、計数排出口８５から一度にパチンコ玉が排出されたとしても、前記貯留空間により、一度にパチンコ玉がアウト玉回収樋１７へ排出されないため、アウト玉回収樋１７上がパチンコ玉で混雑することはない。なお、前記回収壁９１は、アウト玉回収底板９０上のパチンコ玉の流下方向をパチンコ機ユニットＡ２の玉排出空間８０から排出されるパチンコ玉の流下を妨げない方向に変換する機能も有するものである。
【００５２】
次に、図５において、パチンコ機ユニットＡ３は、前記パチンコ機ユニットＡ２のパチンコ玉流下側に隣接して設けられるものである。一対のパチンコ機ユニットＡ３の下方に形成される玉排出空間８０の傾斜底板８４の間には、前記パチンコ機ユニットＡ１及びパチンコ機ユニットＡ２とは異なり、アウト玉回収樋１７が設けられている。このアウト玉回収樋１７は、パチンコ機ユニットＡ２とパチンコ機ユニットＡ３との間の区画支柱８１から中継タンク１５に向けて下り傾斜して設けられ、その上流端はアウト玉回収底板９０と接続され、下流端は中継タンク１５のアウト玉導入口６２に接続されている。また、アウト玉回収樋１７と傾斜底板８４との間には、アウト玉回収樋１７と傾斜底板８４とを区画する仕切板９６がパチンコ機ユニットＡ３両側方の区画支柱８１間に亘って立設されている。この仕切板９６の高さは、仕切板９６の上端面と上部区画板８２との間に間隔が形成されるように形成され（図４参照）、また、仕切板９６の傾斜底板８４下流端に対応する位置には、パチンコ玉をアウト玉回収樋１７に排出するための排出開口部９７が開設されている。この排出開口部９７の開口面積は、パチンコ機ユニットＡ１の計数排出口８５の面積よりも小さく形成されている。
【００５３】
パチンコ機ユニットＡ３における傾斜底板８４の上流端は、パチンコ機ユニットＡ２の傾斜底板８４と同様に、計数排出口８５の下端部からやや間隔をおいた下方に位置している。また、計数排出口８５の下端部からは、計数排出口８５の左右方向ほぼ中央位置を頂点として左右に下り傾斜する山形の分散機構９８が上部腰板２０から仕切板９６に向かって下り傾斜して形成されている。この分散機構９８は、前記分散機構９４と同様、計数排出口８５からのパチンコ玉を玉排出空間８０内に万遍なく排出させるためのものであり、計数排出口８５付近がパチンコ玉で一杯になり、計数装置８３からのパチンコ玉の排出が妨げられるのを防止するという理由も同様である。なお、分散機構９８には、その長手方向中央部であって、仕切板９６側の下流端には、パチンコ玉が落下する程度の大きさの切り欠き部が形成されている。これは、分散機構９８の幅寸法が比較的小さいため、パチンコ玉を分散機構９８の長手方向に分散させて落下させるだけでは計数排出口８５のパチンコ玉排出量に追いつかず、計数装置８３で玉詰まりを起こす場合があるため、前記切り欠き部からもパチンコ玉を落下させることにより落下量を増やし、計数装置８３での玉詰まりを防止するためのものである。なお、前記分散機構９４にも同様の切り欠き部を設けてもよい。
【００５４】
しかして、パチンコ機ユニットＡ３において、計数排出口８５から排出されたパチンコ玉は、分散機構９８上に落下した後、分散機構９８の長手方向及び仕切板９６側の下流端方向に分散して傾斜底板８４上に落下し、傾斜底板８４上を流下して排出開口部９７から排出される。このとき、傾斜底板８４は、排出開口部９７に向かって傾斜しているため、パチンコ玉が排出開口部９７から排出される際には、アウト玉回収樋１７上のパチンコ玉の流下方向と略同一の流下方向で排出される。従って、計数排出口８５とアウト玉回収樋１７との間に形成される玉排出空間８０は、計数装置８３から排出されるパチンコ玉の流下方向をアウト玉回収樋１７上のパチンコ玉の流下方向と略同一方向に変換する機能を有するものである。また、前述のように、排出開口部９７の開口面積は、計数排出口８５の開口面積よりも小さく形成されているため、計数排出口８５からのパチンコ玉の排出量よりも排出開口部９７からのパチンコ玉の排出量が少なくなり、排出開口部９７の手前でパチンコ玉が滞留することとなる。従って、パチンコ機ユニットＡ３の玉排出空間８０は、パチンコ玉の貯留空間として機能するものである。また、前述のように、仕切板９６の高さは、玉排出空間８０の高さよりも低く形成されているため、上部区画板８２下面と仕切板９６の上端面との間には、開口部が形成されている。しかして、玉排出空間８０に貯留し得るパチンコ玉量以上のパチンコ玉が計数排出口８５から玉排出空間８０内に排出されたとき、玉排出空間８０内に貯留し切れない分のパチンコ玉は、上部区画板８２下面と仕切板９６の上端面との間に形成された開口部からアウト玉回収樋１７に排出されることとなる。従って、仕切板９６は、玉排出空間８０内に貯留し切れない分のパチンコ玉をアウト玉回収樋１７に排出する溢れ玉排出部として機能するものである。
【００５５】
次に、図６において、パチンコ機ユニットＡ４は、前記パチンコ機ユニットＡ３のパチンコ玉流下側に隣接して設けられるものである。なお、前述したように、右側のパチンコ機ユニットＡ４〜Ａ６（玉揚送装置４を挟んで左側のパチンコ機ユニットＡ４〜Ａ１０を含め）はそれぞれ同様の構成であるため、パチンコ機ユニットＡ４等として以下に説明する。
【００５６】
まず、パチンコ機ユニットＡ４等の第１実施形態として、図６を参照して説明する。なお、図６における３台のパチンコ機ユニットＡ４等は、図中右から左に向かって玉排出空間８０の高さが徐々に大きくなっている以外は同じ構造であり、図６はこれらのパチンコ機ユニットＡが並設されている状態を示すものである。
【００５７】
一対のパチンコ機ユニットＡ４等（図中手前側のパチンコ機ユニットＡ４等は省略，以下同じ）の下方に形成される玉排出空間８０の傾斜底板８４との間には、前記パチンコ機ユニットＡ３と同様に、前記アウト玉回収樋１７が位置している。また、アウト玉回収樋１７と傾斜底板８４との間には、パチンコ機ユニットＡ３と同様の仕切板９６が、パチンコ機ユニットＡ４等の両側方の区画支柱８１間に亘って立設されている。そして、この仕切板９６の傾斜底板８４下流端に対応する位置には、排出開口部９７が開設されている。この排出開口部９７の開口面積は、パチンコ機ユニットＡ４の計数排出口８５の面積よりも小さく形成されている。
【００５８】
パチンコ機ユニットＡ４等における傾斜底板８４の上流端は、パチンコ機ユニットＡ３よりも更に計数排出口８５の下端部から間隔をおいた下方に位置している。このように、パチンコ機ユニットＡ４等については、計数排出口８５と傾斜底板８４との間隔を十分にとることができるため、計数排出口８５から排出されるパチンコ玉が計数排出口８５付近に集中してパチンコ玉が貯留されることがない。このため、パチンコ機ユニットＡ２，Ａ３のように分散機構９４，９８が設けられていないが、パチンコ機ユニットＡ２，Ａ３と同様に、分散機構を設けてもよい。
【００５９】
しかして、パチンコ機ユニットＡ４等において、計数排出口８５から排出されたパチンコ玉は、傾斜底板８４上に落下した後、傾斜底板８４上を流下して排出開口部９７から排出される。このとき、傾斜底板８４は、排出開口部９７に向かって傾斜しているため、パチンコ玉が排出開口部９７から排出される際には、アウト玉回収樋１７上のパチンコ玉の流下方向と略同一の流下方向で排出される。従って、計数排出口８５とアウト玉回収樋１７との間に形成される玉排出空間８０は、計数装置８３から排出されるパチンコ玉の流下方向をアウト玉回収樋１７上のパチンコ玉の流下方向と略同一方向に変換する機能を有するものである。また、前述のように、排出開口部９７の開口面積は、計数排出口８５の開口面積よりも小さく形成されているため、計数排出口８５からのパチンコ玉の排出量よりも排出開口部９７からのパチンコ玉の排出量が少なくなり、排出開口部９７の手前でパチンコ玉が滞留することとなる。従って、パチンコ機ユニットＡ４等の玉排出空間８０は、パチンコ玉の貯留空間として機能するものである。また、パチンコ機ユニットＡ３と同様に、仕切板９６の高さは、玉排出空間８０の高さよりも低く形成されているため、上部区画板８２下面と仕切板９６の上端面との間には、開口部が形成されている。しかして、玉排出空間８０に貯留し得るパチンコ玉量以上のパチンコ玉が計数排出口８５から玉排出空間８０内に排出されたとき、玉排出空間８０内に貯留し切れない分のパチンコ玉は、上部区画板８２下面と仕切板９６の上端面との間に形成された開口部からアウト玉回収樋１７に排出されることとなる。従って、仕切板９６は、玉排出空間８０内に貯留し切れない分のパチンコ玉をアウト玉回収樋１７に排出する溢れ玉排出部として機能するものである。なお、上記したパチンコ機ユニットＡ４等の玉排出空間８０のパチンコ玉貯留空間としての機能は、以下に説明する複数の実施形態も同様に有するものである。
【００６０】
以上、パチンコ機ユニットＡ４等の第１実施形態について説明してきたが、上記の実施形態における玉排出空間８０の傾斜底板８４は、パチンコ島台１の端部側から玉揚送装置４側に向けて及び、上部腰板２０側からアウト玉回収樋１７に向けて下り傾斜して形成されるものであるが、玉排出空間８０の両側方から玉排出空間８０の長手方向中央に向けて及び、上部腰板２０側からアウト玉回収樋１７に向けて下り傾斜して形成されるものであってもよい。このような実施形態（以下、第２実施形態という）について図７（Ｂ）及び図８（Ａ）を参照して説明する。なお、上記したパチンコ機ユニットＡ４等に係る第１実施形態と同一の部品には、同一の符号を付した。また、図７及び図８では、以下に詳述するパチンコ機ユニットＡ４等に係る複数の実施形態が便宜上３タイプ図示されているが、実際には異なる実施形態のパチンコ機ユニットＡが図のように並ぶことはなく、それぞれの実施形態に係るパチンコ機ユニットＡについて、同一の実施形態のパチンコ機ユニットＡがパチンコ機ユニットＡ４〜Ａ６として３台並ぶことになる。また、パチンコ島台１に設置されるパチンコ機２の台数により、実施形態に係るパチンコ機ユニットＡは、Ａ４〜Ａ６の３台の場合ばかりでなく、１台または２台であったり、あるいは、４台以上の場合もある。
【００６１】
まず、図７（Ｂ）において、玉排出空間８０の傾斜底板８４は、第１実施形態の傾斜底板８４とは異なり、玉排出空間８０の両側方から玉排出空間８０の長手方向中央に向けて及び、上部腰板２０側からアウト玉回収樋１７に向けて下り傾斜して形成されている。また、仕切板９６に形成される排出開口部９７は、仕切板９６の長手方向ほぼ中央部で、傾斜底板８４の下流端に形成されている。
【００６２】
しかして、計数排出口８５から排出されたパチンコ玉は、傾斜底板８４上に落下した後、傾斜底板８４上を玉排出空間８０の長手方向ほぼ中央及び、アウト玉回収樋１７側へ向かって流下し、排出開口部９７からアウト玉回収樋１７上へ排出されることとなる。
【００６３】
また、第２実施形態に係るパチンコ機ユニットＡ４等において、図８（Ａ）に示すように、パチンコ機ユニットＡ３と同様の分散機構９８が設けられるものであってもよい。図８（Ａ）に示すパチンコ機ユニットＡ４等は、分散機構９８が設けられている以外は、図７（Ｂ）に示すパチンコ機ユニットＡ４等とまったく同じ形状のものである。分散機構９８は、パチンコ機ユニットＡ３に設けられる分散機構９８と同様に、計数排出口８５の下端部から、計数排出口８５の左右方向ほぼ中央位置を頂点として左右に下り傾斜する山形の分散機構９８が上部腰板２０から仕切板９６に向かって下り傾斜して形成されている。
【００６４】
しかして、計数排出口８５から排出されたパチンコ玉は、分散機構９８上に落下した後、分散機構９８の長手方向及び仕切板９６側の下流端方向に分散し、左右の傾斜底板８４の上流端付近及び排出開口部９７付近に落下し、傾斜底板８４上を流下して排出開口部９７から排出される。
【００６５】
以上のように、第２実施形態に係るパチンコ島台Ａ４等においては、計数排出口８５から排出されたパチンコ玉は、仕切板９６のほぼ中央に開設された排出開口部９７からアウト玉回収樋１７上に排出されるものである。また、第２実施形態に係るパチンコ島台Ａ４等において、仕切板９６は、第１実施形態に係るパチンコ機ユニットＡ４等と同様、玉排出空間８０内に貯留し切れない分のパチンコ玉をアウト玉回収樋１７に排出する溢れ玉排出部として機能するものである。
【００６６】
以上、パチンコ機ユニットＡ４等の第１，第２実施形態について説明してきたが、上記の実施形態における溢れ玉排出部は、仕切板９６として形成されるものであるが、仕切板９６に開設される溢れ玉排出開口部として形成されるものであってもよい。このような実施形態（以下、第３実施形態という）について図７（Ｃ）及び図８（Ｂ）を参照して説明する。なお、上記したパチンコ機ユニットＡ４等に係る第１，第２実施形態と同一の部品には、同一の符号を付した。
【００６７】
まず、図７（Ｃ）において、玉排出空間８０の傾斜底板８４は、第１実施形態に係るパチンコ機ユニットＡ４等と同様に、パチンコ島台１の端部側から玉揚送装置４側に向けて及び、上部腰板２０側からアウト玉回収樋１７に向けて下り傾斜して形成されている。また、仕切板９６のアウト玉回収樋１７下流方向側の端部には、第１実施形態に係るパチンコ機ユニットＡ４等と同様に排出開口部９７が開設され、仕切板９６のアウト玉回収樋１７上流側の端部付近には、排出開口部９７とほぼ同じ形状で、溢れ玉排出部としての第１溢れ玉排出開口部９９が開設されている。
【００６８】
しかして、計数排出口８５から排出されたパチンコ玉は、傾斜底板８４上に落下した後、傾斜底板８４上を流下して排出開口部９７から排出される。パチンコ玉が排出開口部９７から排出される際には、第１実施形態に係るパチンコ機ユニットＡ４と同様に、アウト玉回収樋１７上のパチンコ玉の流下方向と略同一の流下方向で排出される。また、玉排出空間８０は、第１実施形態に係るパチンコ機ユニットＡ４と同様、パチンコ玉の貯留空間として機能するものであるが、玉排出空間８０に貯留し得るパチンコ玉量以上のパチンコ玉が計数排出口８５から玉排出空間８０内に排出されたときには、玉排出空間８０内に貯留し切れない分のパチンコ玉は、前記第１溢れ玉排出開口部９９からアウト玉回収樋１７に排出されることとなる。
【００６９】
また、第３実施形態に係るパチンコ機ユニットＡ４等において、図８（Ｂ）に示すように、溢れ玉排出部としての排出開口部が、排出開口部９７の上方に複数個形成されるものであってもよい。図８（Ｂ）に示すパチンコ機ユニットＡ４等においては、仕切板９６は、第１，第２実施形態に係るパチンコ機ユニットＡ４等の仕切板９６よりも高さ寸法が大きく形成されている。また、第２実施形態に係るパチンコ機ユニットＡ４と同様に、傾斜底板８４（図示しない）は、玉排出空間８０の両側方から玉排出空間８０の長手方向中央に向けて及び、上部腰板２０側からアウト玉回収樋１７に向けて下り傾斜して形成されており、排出開口部９７は、仕切板９６の長手方向ほぼ中央部で、傾斜底板８４の下流端に形成されている。また、仕切板９６の高さ方向ほぼ中央部であって、両側端部には、排出開口部９７とほぼ同じ形状で溢れ玉排出部としての第１溢れ玉排出開口部９９及び第２溢れ玉排出開口部１０１が開設されている。第１溢れ玉排出開口部９９は、アウト玉回収樋１７の下流方向側に開設され、第２溢れ玉排出開口部１０１は、アウト玉回収樋１７の上流方向側に開設されている。
【００７０】
しかして、計数排出口８５から排出されたパチンコ玉は、傾斜底板８４上に落下した後、傾斜底板８４上を玉排出空間８０の長手方向ほぼ中央及び、アウト玉回収樋１７側へ向かって流下し、排出開口部９７からアウト玉回収樋１７上へ排出されることとなる。また、玉排出空間８０に貯留し得るパチンコ玉量以上のパチンコ玉が計数排出口８５から玉排出空間８０内に排出されたときには、玉排出空間８０内に貯留し切れない分のパチンコ玉は、前記第１溢れ玉排出開口部９９及び第２溢れ玉排出開口部１０１からアウト玉回収樋１７に排出されることとなる。
【００７１】
なお、図８（Ｂ）に示すパチンコ機ユニットＡ４等において、第１排出口９７は、図７（Ｃ）に示すパチンコ機ユニットＡ４と同様に、仕切板９６のアウト玉回収樋１７下流方向側の端部に開設されるものであってもよい。この場合、傾斜底板８４は、図７（Ｃ）に示すパチンコ機ユニットＡ４と同様に、パチンコ島台１の端部側から玉揚送装置４側に向けて及び、上部腰板２０側からアウト玉回収樋１７に向けて下り傾斜して形成されこととなる。
【００７２】
以上のように、第３実施形態に係るパチンコ機ユニットＡ４等において、仕切板９６に開設される第１溢れ玉排出開口部９９及び第２溢れ玉排出開口部１０１が溢れ玉排出部として機能するものである。
【００７３】
以上、パチンコ機ユニットＡ４等の第１，第２及び第３実施形態について説明してきたが、上記の実施形態における溢れ玉排出部としての仕切板９６は、垂直に立設される板材から形成されるものであるが、仕切板９６上部に、計数排出口８５から排出されるパチンコ玉を優先的にアウト玉回収樋１７に排出するための傾斜仕切板８４が設けられているものであってもよい。このような実施形態（以下、第４実施形態という）について図８（Ｃ）を参照して説明する。なお、上記したパチンコ機ユニットＡ４等に係る第１，第２及び第３実施形態と同一の部品には、同一の符号を付した。
【００７４】
図８（Ｃ）において、玉排出空間８０の傾斜底板８４は、第２実施形態に係るパチンコ機ユニットＡ４等と同様に、玉排出空間８０の両側方から玉排出空間８０の長手方向中央に向けて及び、上部腰板２０側からアウト玉回収樋１７に向けて下り傾斜して形成されている。また、仕切板９６に形成される排出開口部９７は、仕切板９６の長手方向ほぼ中央部で、傾斜底板８４の下流端に形成されている。また、仕切板９６の上部には、溢れ玉排出部としての傾斜仕切板１０２が仕切板９６上端面から玉排出空間８０内に向かって上り傾斜して設けられており、この傾斜仕切板１０２の上端面と上部区画板８２との間には、開口部が形成されている。
【００７５】
しかして、計数排出口８５から排出されたパチンコ玉は、傾斜底板８４上に落下した後、傾斜底板８４上を玉排出空間８０の長手方向ほぼ中央及び、アウト玉回収樋１７側へ向かって流下し、排出開口部９７からアウト玉回収樋１７上へ排出されることとなる。また、玉排出空間８０に貯留し得るパチンコ玉量以上のパチンコ玉が計数排出口８５から玉排出空間８０内に排出されたときには、玉排出空間８０内に貯留し切れない分のパチンコ玉は、傾斜仕切板１０２を乗り越え、傾斜仕切板１０２の上端面と上部区画板８２との間に形成された開口部からアウト玉回収樋１７に排出されることとなる。このとき、前述のように、傾斜仕切板１０２は、仕切板９６上端面から玉排出空間８０内に向かって上り傾斜して設けられているため、計数排出口８５から排出されたパチンコ玉は、玉排出空間８０に貯留されたパチンコ玉の上面を通過し、傾斜仕切板１０２の傾斜に沿って傾斜仕切板１０２上を流下し、アウト玉回収樋１７上へ排出される。このように、計数排出口８５から排出されるパチンコ玉は、玉排出空間８０に貯留されるパチンコ玉に優先して、傾斜仕切板１０２の上端面と上部区画板８２との間に形成された開口部からアウト玉回収樋１７上へ排出されることとなる。
【００７６】
なお、図８（Ｃ）に示すパチンコ機ユニットＡ４等において、第１排出口９７は、仕切板９６のアウト玉回収樋１７下流方向側の端部に開設されるものであってもよい。この場合、傾斜底板８４は、パチンコ島台１の端部側から玉揚送装置４側に向けて及び、上部腰板２０側からアウト玉回収樋１７に向けて下り傾斜して形成されこととなる。
【００７７】
以上のように、第４実施形態に係るパチンコ機ユニットＡ４等において、仕切板９６の上部に形成される傾斜仕切板１０２及び仕切板９６は、溢れ玉排出部として機能するものであると共に、傾斜仕切板１０２は、計数排出口８５から排出されるパチンコ玉を、玉排出空間８０に貯留されるパチンコ玉に優先してアウト玉回収樋１７上に排出する機能を有するものである。
【００７８】
以上、パチンコ機ユニットＡ４等の第１，第２，第３及び第４実施形態について説明してきたが、上記の実施形態における傾斜底板８４は、その表面が平坦に形成されるものであるが、平坦に形成されるものに限らず、その表面に段差が設けられているものであってもよい。このような実施形態（以下、第５実施形態という）について図７（Ａ）を参照して説明する。なお、上記したパチンコ機ユニットＡ４等に係る第１，第２，第３及び第４実施形態と同一の部品には、同一の符号を付した。
【００７９】
図７（Ａ）において、傾斜底板８４の上部腰板２０側の隅角部には、玉排出空間８０の長手方向に亘って、断面が正方形状の段差部１００が突設されている。この段差部１００の上面は、計数排出口８５の下端部と傾斜底板８４のほぼ中間に位置しているが、計数排出口８５寄りか、あるいは、傾斜底板８４寄りの位置であってもよい。また、その断面形状も正方形状に限らず長方形状あるいは傾斜底板８４側に下り傾斜した台形形状等であってもよい。また、図においては、段差は、一段のものを図示しているが、一段のものに限らず、複数段のものであってもよい。
【００８０】
しかして、段差部１００は、計数排出口８５の下方に位置することとなり、計数排出口８５から排出されるパチンコ玉は、段差部１００上に落下した後、段差部１００を転動し、傾斜底板８４に落下する。このように、計数排出口８５から排出されるパチンコ玉が直接傾斜底板８４上に落下することがないため、落下衝撃による騒音を防止することができると共に、傾斜底板の破損，損傷を防止することができる。なお、図８（Ｂ）に示すように、前述した第３実施形態に係るパチンコ機ユニットＡ４等において段差部１００が形成されているが、第３実施形態に限らず、前述した第１実施形態乃至第４実施形態のいずれにも段差部１００の構造を適用することができる。
【００８１】
以上、パチンコ島台１の詳細な構成について説明してきたが、本実施形態においては、複数のパチンコ機２が列設されると共に、獲得した景品玉を計数する計数装置８３が前記パチンコ機２毎に対応して設置され且つ前記計数装置８３で計数されたパチンコ玉及び前記パチンコ機２で使用されたパチンコ玉をまとめて回収するアウト玉回収樋１７が内蔵されたパチンコ島台１において、前記計数装置８３の計数排出口８５と前記アウト玉回収樋１７との間に、前記計数排出口８５から排出されたパチンコ玉が貯留される玉排出空間８０が形成されると共に、該玉排出空間８０に貯留されたパチンコ玉を前記アウト玉回収樋１７に排出するための排出開口部９７を少なくとも１つ備え、該排出開口部９７から排出されるパチンコ玉の排出量は、前記計数排出口８５から排出されるパチンコ玉の排出量よりも少ないことを特徴とするものである。このように構成することにより、計数排出口８５から排出されたパチンコ玉は、一旦玉排出空間８０で貯留されることとなり、一度に過剰のパチンコ玉がアウト玉回収樋１７上に排出されることがない。このため、アウト玉回収樋上のパチンコ玉の混雑を防止することができると共に、アウト玉回収樋１７上のパチンコ玉の流下が計数排出口８５から排出されたパチンコ玉により妨げられることも防止できる。また、アウト玉回収樋１７に排出するための排出開口部９７付近がパチンコ玉で混雑することがないため、排出開口部９７からのパチンコ玉の排出が妨げられることがない。更に、計数排出口８５から一度に大量のパチンコ玉が排出された場合でも、パチンコ玉が一旦玉排出空間８０で貯留されることとなるため、排出開口部９７からのパチンコ玉の排出量が少なくても、計数排出口８５からのパチンコ玉の排出が妨げられることがない。
【００８２】
また、本実施形態においては、前記玉排出空間８０に貯留し得るパチンコ玉量以上のパチンコ玉が前記計数排出口８５から玉排出空間８０内に排出されたとき、玉排出空間８０内のパチンコ玉を前記アウト玉回収樋１７に排出する溢れ玉排出部としての仕切板９６，第１溢れ玉排出開口部９９，第２溢れ玉排出開口部１０１，傾斜仕切板１０２を有することを特徴とするものである。このように構成することにより、玉排出空間８０やアウト玉回収樋１７に損傷，破損等のトラブルを含め、排出開口部９７からパチンコ玉が排出されない場合や排出されにくい場合でも、玉排出空間８０に貯留されたパチンコ玉は、溢れ玉排出部としての仕切板９６，第１溢れ玉排出開口部９９，第２溢れ玉排出開口部１０１，傾斜仕切板１０２によりアウト玉回収樋上に排出される。その結果、計数排出口８５からのパチンコ玉の排出が妨げられることがなくなり、計数装置８３からのパチンコ玉の排出が悪くなることによる遊技者のイライラまたは不満は生じない
また、本実施形態においては、前記玉排出空間８０内に、前記計数排出口８５から排出されるパチンコ玉を玉排出空間８０内全体に分散させるための分散機構９４，９８を設けたことを特徴とするものである。このように構成することにより、計数排出口８５と傾斜底板８４との間隔が比較的短い場合であっても、計数排出口８５からのパチンコ玉を玉排出空間８０全体内全体に排出させることができるため、玉排出空間８０内を有効に利用することができる。更に、計数排出口８５付近が排出されてくるパチンコ玉で一杯になることを防止できるため、計数装置８３からのパチンコ玉の排出がさまたげられ、排出が悪くなるおそれは無くなる。よって、遊技者のイライラまたは不満は生じない。
【００８３】
また、本実施形態においては、前記傾斜底板８４上面に、前記計数排出口８５から排出されるパチンコ玉の落下衝撃を緩和するための段差部１００を設けたことを特徴とするものである。このように構成することにより、計数排出口８５から排出されるパチンコ玉が直接傾斜底板８４上に落下することがないため、落下衝撃による騒音を防止することができると共に、傾斜底板８４の破損，損傷を防止することができる。
【００８４】
更に、本実施形態においては、前記パチンコ島台１に列設されるパチンコ機２の下方部分を閉塞するための腰板としての上部腰板２０，下部腰板２１を、パチンコ島台に対して着脱自在に設けたことを特徴とするものである。このように構成することにより、アウト玉回収樋１７等に破損，損傷等のトラブルが生じた場合であっても、その修理等をパチンコ島台１内から行うことなく、パチンコ島台１の外側から行うことできるため作業性がよく、また、清掃等のメンテナンスも容易に行うことができる。
【００８５】
なお、本実施形態では、一対のパチンコ島台について述べてきたが、無対のパチンコ島台（いわゆる壁島台）でもよい。
【００８６】
また、本実施形態のように溢れ玉排出部等を設ける場合、万一トラブル等で玉排出空間がパチンコ玉で一杯になっても、ホールの店員等により、直接溢れ玉排出部からパチンコ玉を掻き出すことも可能であるため、営業中でも迅速に対処することができ、有効である。
【００８７】
更に、本実施形態では、排出開口部が１つのものを示したが、本発明の技術思想から逸脱するものでなければ、２つ以上のものであってもよい。
【００８８】
【発明の効果】
以上、説明したところから明らかなように、請求項１に記載の発明においては、複数のパチンコ機が列設されると共に、パチンコ玉を上部に揚送する玉揚送装置を設置し、該玉揚送装置で揚送されたパチンコ玉を補給樋によって前記複数のパチンコ機に供給すると共に、各パチンコ機で獲得したパチンコ玉であって計数装置により計数されたパチンコ玉及び各パチンコ機で使用されたパチンコ玉であってアウト玉回収ボックスから排出されたパチンコ玉をまとめて回収するアウト玉回収樋が内蔵されたパチンコ島台において、前記計数装置及び前記アウト玉回収ボックスは、各パチンコ機の下方に設置され、前記計数装置の計数排出口から排出されたパチンコ玉が貯留される玉排出空間が各パチンコ機毎にパチンコ島台内部に形成されると共に、該玉排出空間に貯留されたパチンコ玉を前記アウト玉回収樋に排出するための排出開口部を少なくとも１つ備え、前記排出開口部の開口面積を前記計数装置の計数排出口の開口面積よりも小さく形成することにより、前記排出開口部から排出されるパチンコ玉の排出量が前記計数排出口から排出されるパチンコ玉の排出量よりも少なくなることを特徴とするものである。このように構成することにより、計数排出口から排出されたパチンコ玉は、一旦玉排出空間で貯留されることとなり、一度に過剰のパチンコ玉がアウト玉回収樋上に排出されることがない。このため、アウト玉回収樋上のパチンコ玉の混雑を防止することができると共に、アウト玉回収樋上のパチンコ玉の流下が計数排出口から排出されたパチンコ玉により妨げられることも防止できる。また、アウト玉回収樋に排出するための排出開口部付近がパチンコ玉で混雑することがないため、排出開口部からのパチンコ玉の排出が妨げられることがない。更に、計数排出口から一度に大量のパチンコ玉が排出された場合でも、パチンコ玉が一旦玉排出空間で貯留されることとなるため、排出開口部からのパチンコ玉の排出量が少なくても、計数排出口からのパチンコ玉の排出が妨げられることがない。
【００８９】
また、請求項２に記載の発明においては、前記玉排出空間に貯留し得るパチンコ玉量以上のパチンコ玉が前記計数排出口から玉排出空間内に排出されたとき、玉排出空間内のパチンコ玉を前記アウト玉回収樋に排出する溢れ玉排出部を有することを特徴とするものである。このように構成することにより、玉排出空間やアウト玉回収樋に損傷，破損等のトラブル等を含め、排出開口部からパチンコ玉が排出されない場合や排出されにくい場合でも、玉排出空間に貯留されたパチンコ玉は、溢れ玉排出部によりアウト玉回収樋上に排出される。その結果、計数排出口からのパチンコ玉の排出が妨げれられることがなくなり、計数装置からのパチンコ玉の排出が悪くなることによる遊技者のイライラまたは不満は生じない。
【００９０】
また、請求項３に記載の発明においては、前記玉排出空間内に、前記計数排出口の左右方向ほぼ中央位置を頂点として左右に下り傾斜する山形に形成されて前記計数排出口から排出されるパチンコ玉を玉排出空間内全体に分散させるための分散機構を設けたことを特徴とするものである。このように構成することにより、計数排出口と傾斜底板との間隔が比較的短い場合であっても、計数排出口からのパチンコ玉を玉排出空間全体内全体に排出させることができるため、玉排出空間内を有効に利用することができる。更に、計数排出口付近が排出されてくるパチンコ玉で一杯になることを防止できるため、計数装置からのパチンコ玉の排出がさまたげられ、排出が悪くなるおそれは無くなる。よって、遊技者のイライラまたは不満は生じない。
【００９１】
また、請求項４に記載の発明においては、前記玉排出空間の底面を構成する傾斜底板上面に、前記計数排出口から排出されるパチンコ玉の落下衝撃を緩和するための段差部を設けたことを特徴とするものである。このように構成することにより、計数排出口から排出されるパチンコ玉が直接傾斜底板上に落下することがないため、落下衝撃による騒音を防止することができると共に、傾斜底板の破損，損傷を防止することができる。
【００９２】
更に、請求項５に記載の発明においては、前記排出開口部から排出されるパチンコ玉と前記アウト玉回収ボックスの排出口から排出されるパチンコ玉とを前記アウト玉回収樋に排出される位置を異ならせたことを特徴とするものである。このように構成することにより、アウト玉回収樋上のパチンコ玉の混雑を防止することができる。
【図面の簡単な説明】
【図１】  本実施形態に係るパチンコ島台の内部を示す側面図である。
【図２】  パチンコ機が設置される部分のパチンコ島台の拡大図である。
【図３】  貯留タンク及び中継タンクの内部を透写した状態の斜視図である。
【図４】  実施形態に係るパチンコ島台の内部を示す断面図である。
【図５】  実施形態に係るパチンコ機ユニットＡ１〜Ａ３の内部を示す斜視図である。
【図６】  実施形態に係るパチンコ機ユニットＡ４，Ａ５の内部を示す斜視図である。
【図７】  実施形態に係るパチンコ機ユニットＡ４，Ａ５の内部を示す斜視図である。
【図８】  実施形態に係るパチンコ機ユニットＡ４，Ａ５の内部を示す斜視図である。
【符号の説明】
Ａ１〜Ａ１０  パチンコ機ユニット
１  パチンコ島台
２  パチンコ機
３  台間玉貸機
４  玉揚送装置
８  補給樋
１２  蛇腹
１３  貯留タンク
１５  中継タンク
１７  アウト玉回収樋
２０  上部腰板（腰板）
２１  下部腰板（腰板）
８０  玉排出空間
８１  区画支柱
８２  上部区画板
８３  計数装置
８４  傾斜底板
８５  計数排出口
８６  カウンター台
９０  アウト玉回収底板
９１  回収壁
９２  誘導壁
９３  排出開口部
９４  分散機構
９５  排出開口部
９６  仕切板（溢れ玉排出部）
９７  排出開口部
９８  分散機構
９９  第１溢れ玉排出開口部（溢れ玉排出部）
１００  段差部
１０１  第２溢れ玉排出開口部（溢れ玉排出部）
１０２  傾斜仕切板（溢れ玉排出部）
【図１】
0004487389.tif 000002
【図２】
0004487389.tif 000003
【図３】
0004487389.tif 000004
【図４】
0004487389.tif 000005
【図５】
0004487389.tif 000006
【図６】
0004487389.tif 000007
【図７】
0004487389.tif 000008
【図８】
0004487389.tif 000009